(57)【要約】【課題】  立脚された支柱間の一つのスパン内に仮設できる踊場付き仮設階段を提供する。【解決手段】  四隅に立脚させた支柱１０を連結する梁材２０に、踊場用床部分４０と吹き抜け部分５０とを隣り合わせに有する足場板３０を水平方向に掛け渡す。足場板３０の一端側に設けた踊場用床部分４０の位置が、上下階で違い違いになるようにする。階段６０の上端側を上方段に設けた足場板３０の踊場用床部分４０の吹き抜け部分５０側に連結させ、階段６０の下端側を下方段に設けた足場板３０の踊場用床部分４０又は地上部分に載置させて仮設段Ａを設ける。各段の足場板３０は、複数の細幅足場板３０を並べて構成してもよく、また、踊場用床部分４０と階段６０のうち少なくとも一方の周囲には手摺７０，６４を設ける。【選択図】    図１
2004316427.tif 000002
【特許請求の範囲】
【請求項１】
建築現場に組み立てられる足場枠に設ける仮設階段において、
支柱を四隅に立設させて各支柱の上端を梁材で連結した枠組みを複数段に組み立て、各段で対向する２つの梁材の間に、踊場用床部分と吹き抜け部分とを隣り合わせに有する足場板を水平方向に架け渡すとともに、各段に配置される足場板を前記踊場用床部分の位置が上方に向けて交互に前後となるように配置し、
前記足場板の幅の約半分の幅に形成された階段を、その上端側を上方段に設けられた前記足場板の前記踊場用床部分の前記吹き抜け側に連結させ、前記階段の下端側を下方段に設けられた前記足場板の前記踊場用床部分又は地上部分に載置させることを特徴とする踊場付き仮設階段。
【請求項２】
前記足場板をそれぞれ前記踊場用床部分が形成された複数の細幅足場枠により形成し、それぞれの前記踊場用床部分を隣り合わせて前記細幅足場枠を並列に前記梁材間に掛け渡すことを特徴とする請求項１記載の踊場付き仮設階段。
【請求項３】
前記踊場用床部分と前記階段のうち少なくとも一方の周囲に、手摺が設けられていることを特徴とする請求項１又は２記載の踊場付き仮設階段。
【発明の詳細な説明】
【技術分野】
【０００１】
本発明は、建設現場等で使用する踊場付き仮設階段に関する。
【背景技術】
【０００２】
建設現場の足場には、昇降用に階段が仮設されている。階段は、所定スパンで縦横に組み上げられた軸組足場等に、所定間隔で高さ方向に平行に足場板が設けられ、この足場板間を上下方向に連絡するように仮設されている。階段は、支柱間の一スパン分の上方の足場板を外して掛けたり、場合によっては中間階を飛ばして、例えば２階部分を一気に一本の階段で連結する等して掛けられている。図１０に示すように、従来の階段は足場支柱間の一スパン内に斜めに掛け渡されており、階段を掛け渡した上記スパンとは別の隣接スパン内の足場板部分が階段の踊場に相当する部分として利用されている。また、上記足場を利用した階段は、掘削立坑の地底部分と地上部分とを連絡するのにも使用されている。各段に階段を掛け渡したかかる足場は、従来地底の下段部分から地上に向け組み上げて構築している。
【発明の開示】
【発明が解決しようとする課題】
【０００３】
建設現場の足場等に仮設される階段は、上記のように所定スパンで立脚させられた足場支柱間の一つのスパン内に、斜めに掛け渡すように構成されている。そのため、足場の一つのスパンの支柱間に階段と、階段の上下端に続く踊場とを一緒に設けることができなかった。従って、踊場を設けた階段を仮設する場合には、階段を掛け渡すスパン以外に、踊場用のスパンをも考慮に入れて支柱を立脚しなければならなかった。そのため、仮設足場の間口がどうしても広くなり、小規模の現場によっては足場間口を広くとれず、階段が仮設できない場合も多かった。しかし、仮設階段は、作業員が資材を持って安全に昇降するためには不可欠であり、現場規模の大小に拘らず必要なものである。さらに、階段の踊場も、特に狭い階段等では、階段利用者が互いに相手を交わすための待避場所等として必要である。かかる観点から、小規模な足場においても手軽に設置できるように、一スパン内に仮設できる踊場付きの階段が要望されていた。
【０００４】
また、現場作業等の省力化が叫ばれている昨今、足場の組立・分解に要する手間及び人件費も決して無視できず、かかる観点からも足場支柱間の一スパン内に踊場を設けた階段仮設がてきることが好ましい。特に、既存の足場に併設、又は既存の足場に組み込み可能であれば、既存設備の有効利用等の点からもなお望ましい。また、掘削立坑で地底部分と地上部分とを連絡するために設ける従来の足場に仮設する階段では、地底側の最下段から足場を組み始め、上段を下段の上に組み上げる手順で行われている。そのため、組み上げ工程が進むにつれて上段での高所作業が必要となり、作業の危険度が増す。そこで、本発明は上記問題点に鑑み提案されたもので、立脚された支柱間の一つのスパン内に仮設可能な踊場付き仮設階段を提供することを目的とする。
【課題を解決するための手段】
【０００５】
本発明の踊場付き仮設階段は、建築現場に組み立てられる足場枠に設ける仮設階段において、支柱を四隅に立設させて各支柱の上端を梁材で連結した枠組みを複数段に組み立て、各段で対向する２つの梁材の間に、踊場用床部分と吹き抜け部分とを隣り合わせに有する足場板を水平方向に架け渡すとともに、各段に配置される足場板を前記踊場用床部分の位置が上方に向けて交互に前後となるように配置し、前記足場板の幅の約半分の幅に形成された階段を、その上端側を上方段に設けられた前記足場板の前記踊場用床部分の前記吹き抜け側に連結させ、前記階段の下端側を下方段に設けられた前記足場板の前記踊場用床部分又は地上部分に載置させることを特徴とする。
【０００６】
本発明の踊場付き仮設階段は、前記足場板をそれぞれ前記踊場用床部分が形成された複数の細幅足場枠により形成し、それぞれの前記踊場用床部分を隣り合わせて前記細幅足場枠を並列に前記梁材間に掛け渡すことを特徴とする。また、本発明の踊場付き仮設階段は、前記踊場用床部分と前記階段のうち少なくとも一方の周囲に、手摺が設けられていることを特徴とする。
【０００７】
本発明では、所定スパンで立脚させた四隅の支柱の上端を連結して複数段に組み立てた梁材に、踊場用床部分と吹き抜け部分とを隣り合わせに有する足場板を掛け渡す。足場板は、各段の対抗する梁材の間に、踊場用床部分の位置が上方に向けて互いに前後するように掛け渡される。さらに階段は足場板の約半分の幅に形成されているので、上方段の足場板の踊場用床部分の吹き抜け部分側に階段の上端側を連結するとともに、下方段の足場板の踊場用床部分上に階段の下端側を載置することにより、各階に踊場部分を設けた仮設階段を上下方向にジグザグに掛け渡すことができる。また、地上部分から２階部分への階段の仮設も、２階部分に上記構成の足場板を設けておき、その踊場用床部分に階段の上端側を連結させ、併せて階段の下端側を接地させて行える。
【０００８】
さらに、階段は、その上端側は足場板の踊場用床部分に連結されているが、その下端側は、下方段の踊場用床部分や地上部分に載置させる構成となっているため、階段の下端側は固定されていない。そのため、支柱や梁材等の組みつけ精度に若干バラツキがでても、階段の下端側の載置位置を適宜自由に調節して、ガタが発生しないように階段を掛けることができる。特に、踊場用床部分及び階段のうちいずれか一方の周囲に、手摺を設ければ昇降時の落下防止も図れる。このようにして、本発明では、足場枠等の支柱間の一つのスパン内に踊場部分を設けた階段の仮設ができる。足場板を高さ方向に必要枚数平行に掛け渡せば、所望高さまで階段の仮設ができる。
【０００９】
また、足場板を、掛け渡し方向に並列して梁材に掛け渡すことができる複数の細幅足場板から構成し、前記複数の細幅足場板のそれぞれに踊場用床部分と吹き抜け部分とを設けて、各段の細幅足場板の踊場用床部分の位置を同じ方向に揃えるとともに、上方に向けては上下段の踊場用床部分の位置が前後になるように掛け渡せば、上記要領で階段を仮設することができる。このように各段に必要な足場板を複数の細幅足場板から構成することにより、足場板の搬入を楽にすることができる。
【発明の効果】
【００１０】
本発明は、踊場用床部分と吹き抜け部分とを隣合わせに有する足場板を、所定高さに組みあげた四隅の支柱を連結する梁材に掛け渡し、この踊場用床部分間に階段を掛け渡す構成である。そのため、支柱間の一スパン内に踊場部分と階段部分とを一緒に設けることができる。階段部分と踊場部分とを支柱の別個のスパンに形成しなければならない従来の仮設階段とは異なり、間口を広くできない建設現場等でも容易に踊場部分を有する階段の仮設ができる。また、従来では踊場部分を併設した階段を設けることができないような小スペースでも踊場付き階段仮設ができるため、かかる現場での作業安全の向上が図れる。さらに、従来とは異なり、踊場用床部分用に別途支柱等を組み上げる必要がないので、その分足場組立等に関する施工費用の削減が図れる。また、手摺が踊場用床部分や階段の周囲に設けられるので、昇降時の落下防止をも図ることができる。また、部材の寸法規格等は既設の足場部材に合わせて設定すれば、既存の足場部分に組み込んだり、或は足場部分に連係して階段部分を並設できる。
【発明を実施するための最良の形態】
【００１１】
本発明の実施の形態を図により説明する。
【００１２】
（実施の形態１）
本実施の形態１は、図１に示すように、四隅に立脚した支柱の上端を連結した梁材に、踊場用床部分と吹き抜け部分と隣り合わせに有する足場板を、各階に二枚づつ並べて掛け渡し、上下方向の足場板間に階段を掛けたものである。本実施の形態で使用する支柱１０は、従来の足場組みで使用される支柱で、適宜上下方向に継ぎ足し可能に構成されている。かかる支柱１０が、四隅に立脚して設けられている。この支柱１０に、従来の足場組立の要領で梁材２０が渡されている。支柱１０及び梁材２０の材質、寸法、或はそれらの組み付け間隔等は、本実施の形態では全て従来の足場規格に合わせて設定されているが、踊場用床部分４０を設けるために、従来の足場規格より長めに設定しても構わない。本実施の形態では、既存の足場部材等の規格に合わせることにより、足場部材との共用性を高め、既存の生産ラインを使用して製造できるように配慮した。さらに、このように設定することにより、既存の足場に本発明の仮設階段Ａを組み込んだり、或は併設したりすることができる。
【００１３】
足場板３０は、２枚並べて梁材２０に掛け渡せるように、その幅が梁材２０の長さａの約半分程度で、長さが支柱１０間の一スパンｂに合わせた長さの略矩形枠状の独立した２枚の細幅足場板３０ａから構成されている。図２（ａ）に示すように、その長手方向の一端に適宜幅の平板な踊場用床部分４０が設けられている。細幅足場板３０ａの前記踊場用床部分４０が設けられていない部分は、そのまま吹き抜け部分５０になっている。踊場用床部分４０が階段６０の上端側又は下端側に続く所謂踊場の機能を果たすとともに、吹き抜け部分５０で階段６０の上り下りの際に必要な空間が確保されている。上記踊場用床部分４０の周囲には手摺７０（或はフェンス等）が脱着自在に設けられている。また、踊場用床部分４０の吹き抜け部分５０側に面した端辺の両端には、階段６０の上端側の取り付けに際して使用する小さい係止穴４１が設けられている。
【００１４】
さらに、細幅足場板３０ａの四隅には略鉤状の係止部材３１が設けられ、前記の梁材２０に掛け渡せるようになっている。かかる構成の細幅足場板３０ａが、所定高さに複数段組み上げられた各段の梁材２０に、掛け渡し方向に向けて２枚づつ水平に並べて掛け渡されている。このようにして、各段に細幅足場板３０ａが、高さ方向に所定間隔で互いに平行に掛け渡されている。同一段の２枚の細幅足場板３０ａは、それぞれの踊場用床部分４０が並ぶように掛け渡されている。また、階段６０が後記するように踊場用床部分４０間に上下方向にジグザグに掛けられるように、踊場用床部分４０同士の位置が上下段で交互に前後になるように足場板３０が掛け渡されている。尚、かかる支柱１０及び梁材２０等の組み上げに際しては、支柱１０下端にジャッキ・ベースを設けたり、各支柱１０間に斜めに筋違を設けたり等、足場組み等で従来より用いられている組み上げ手段が使用されている。
【００１５】
一方本実施の形態で使用する階段６０は、図２（ｂ）に示すように、二本の平行な桁部材６１間に、所定間隔でステップ６２が設けられている。二本の桁部材６１の間隔は、上記構成の細幅足場板３０ａの幅に合わせて設定され、その長さは上下階に平行に設けた細幅足場板３０ａのそれぞれの踊場用床部分４０部分を斜めに掛け渡せる程度に設定されている。二本の桁部材６１には、脱着自在に手摺６４が設けられている。また、階段６０の上端側に当たる二本の桁部材６１の一端には略鉤状の係止部材６３が設けられ、前記踊場用床部分４０の係止穴４１に係止できるようになっている。さらに、階段６０の下端側に相当する二本の桁部材６１の他端には、階段６０の下端側が安定して踊場用床部分４０上等に載置できるように、平板な接地部材６５が、接地角度がある程度変えられるようにして取り付けられている。尚、上記係止部材６３は、本実施の形態では桁部材６１に固定したが、桁部材６１に、例えばねじ込み式に設けてある程度伸縮調整ができるようにしても構わない。さらに、接地部材６５は、接地角度が変えられない固定式でも構わない。
【００１６】
このような構成を有した階段６０が、前記高さ方向に掛け渡した細幅足場板３０ａの踊場用床部分４０間に、階段６０の上端側を係止部材６３で踊場用床部分４０の係止穴４１部分に係止するとともに、下端側を下方の細幅足場板３０ａの踊場用床部分４０上に載置して設けられている。本実施の形態では、各段に掛け渡された２枚の細幅足場板３０ａ間に、例えば手前側に位置する各段の細幅足場板３０ａ間には、それぞれの踊場用床部分４０間を右上りになるように、奥の側に位置する細幅足場板３０ａ間には左上りになるように、階段６０が上下方向にジグザグに形成されるように掛けられている。さらに、地上部分から２階部分への階段６０の仮設は、２階部分の細幅足場板３０ａの踊場用床部分４０に、階段６０の上端側が上記要領で係止されるとともに、下端側の接地部材６５が地上部分にそのまま、或は、適宜安定に載置できるように板材等を介して接地されている。
【００１７】
（実施の形態２）
本実施の形態は、実施の形態１で使用した２枚の細幅足場板３０ａからなる足場板３０を、幅広の一枚構成とすることにより、各段に１枚づつ掛け渡すようにしたものである。足場板３０の他の構成は、実施の形態１の細幅足場板３０ａと略同様になっている。本実施の形態で使用する足場板３０は、図３に示すように、その幅が梁材２０の長さａに合わせて設定され、その長さは実施の形態１と同様に支柱１０間の一スパンの長ｂさに合わせた略矩形枠状に形成されている。さらに、長手方向の一端に踊場用床部分４０が実施の形態１と同様に形成され、踊場用床部分４０の周囲には、手摺７０等が脱着自在に取り付けられるようになっている。
【００１８】
また、階段６０の係止部材６３が係止できるように、踊場用床部分４０の吹き抜け部分５０側に面した端辺の両端、及び端辺の略中央部分に隣接させて２個、合計４個の係止穴４１が設けられている。このように構成された足場板３０が、実施の形態１と同様に組み上げられた支柱１０の各段の梁材２０に、足場板３０の四隅に設けた係止部材３１で、上下段の各足場板３０が平行になるように掛け渡されている。さらに、この各段の足場板３０の踊場用床部分４０間に、実施の形態１で使用したと同じ構成の階段６０が、実施の形態１と同様の要領で上下方向にジグザグに掛けられている。尚、必要に応じて階段６０の桁長を長くすれば、中間階の足場板３０の吹き抜け部分５０を通して、例えば一気に一階から３階まで階段を掛けることも基本的には可能である。
【００１９】
（実施の形態３）
本実施の形態は、種々の現場状況に合わせて、上記実施の形態１又は２に記載の構成を有する仮設階段Ａの仮設状況を示したものである。図４（ａ）は、建設現場等で、独自に支柱１０を立脚するとともに梁材２０で連結して、上記実施の形態１又は２に示した要領で仮設階段を単独で設けた場合の正面図を示している。このようにして、仮設階段Ａのみを単独で設けることにより、例えば高架部分と地上部分との臨時の昇降用通路の確保が手軽に行える。図４（ｂ）は、従来の足場の横に、所定スパンで支柱１０を立脚し、適宜足場の支柱１１との間を梁材２０で連結して、前記実施の形態１又は２に記載した要領で仮設階段Ａを設けた場合の正面図を示している。
【００２０】
図４（ｃ）は、左右の足場部分に挟まれるようにして、前記実施の形態１又は２に記載の要領で階段６０を仮設した場合の正面図である。このように足場部分に挟むようにして階段６０を仮設すれば、特に足場を長い間口で組みあげる場合には、中央部分の階段６０で昇降を左右に振り分けられるため便利である。図４（ｄ）は、足場部分の所望箇所に、適宜足場の梁材２０を使用して、階段６０を組み込んだ場合である。実施の形態１で述べたように、使用部材の寸法等を既成の足場部材に合わせておけば、従来の足場板を本発明に係る足場板３０等に適宜交換することにより、必要に応じて階段６０を既設の足場組み内部に応急仮設することができる。
【００２１】
（実施の形態４）
本実施の形態は、上記実施の形態１の構成を有する多段の仮設階段を、地底部分と地上部分との連絡用に立坑内に構築する方法である。本実施の形態では、図５（ａ）に示すように、四隅に立脚した支柱１０の上端及び下端を梁材２０で連結した二段構成の先組み仮設階段Ａ１の枠組みを形成する。各段の上端及び下端でそれぞれ対向する梁材２０間に、踊場用床部分４０と吹き抜け部分５０とを隣り合わせに有する足場板３０を掛け渡す。本実施の形態では、足場板３０として細幅足場板３０ａを使用し、掛け渡しに際しては、細幅足場板３０ａの両端側の係止部材３１を梁材２０に掛けるようにして、図１（ｂ）に示す要領でそれぞれ二枚づつ並べて掛け渡す。並べて掛け渡す二枚の細幅足場板３０ａは、踊場用床部分４０同士が並ぶように掛け渡す。さらに、上下の細幅足場板３０ａ同士は、それぞれの踊場用床部分４０が、上下で交互になるように掛け渡す。上下の細幅足場板３０ａの間に、階段６０を掛け渡して先組み仮設階段Ａ１を地上で組み上げる。
【００２２】
一方、仮設階段を内部に構築しようとする立坑を、上記先組み仮設階段Ａ１の高さに匹敵する程度の深さに別途掘削しておく。かかる立坑内に上記完成した先組み仮設階段Ａ１を、図５（ａ）に示すように、クレーン等の揚重装置Ｂで吊り下げて、立坑内の地底部分に降ろす。降ろした状態では、先組み仮設階段Ａ１の上端側が、本実施の形態では地上面と略同様の高さになるようになっている。先組み仮設階段Ａ１の上端側は、地上面付近にくればよく、地上面と多少高低差があっても構わない。さらに、先組み仮設階段Ａ１の下の段の支柱１０を、取付金具Ｃ１を使用して切梁間に設けた連結用梁部材Ｄに固定する。本実施の形態では、図５に示すように、連結用梁部材Ｄとして、切梁間に掛け渡した渡し梁を使用する。また、本実施の形態では、取付金具Ｃ１を、図６（ａ）に示すように、渡し梁を締め付け固定できるクランプ状に形成し、その側面にパイプクランプを設けて、パイプクランプで上下に支柱１０を保持固定できるようにしている。
【００２３】
その後、さらに地底部分を、図５（ｂ）に示すように、継ぎ足し用仮設階段Ａ２の高さに見合った深さに掘削する。掘削した時点で、先組み仮設階段Ａ１の支柱１０の下側に、支柱１０の上端を差し込み固定するとともに、この差し込んだ支柱１０の下端側を梁材２０で連結して継ぎ足し用仮設階段Ａ２の枠組みを形成する。この梁材２０の対向する梁材２０間に、細幅足場板３０ａを、先組み仮設階段Ａ１の下側の細幅足場板３０ａと、踊場用床部分４０が上下で交互になるよにう掛け渡す。さらに、この上下の細幅足場板３０ａ間に、階段を６０を掛け渡す。このようにして、立坑の地底部分で、先組み仮設階段Ａ１の下方に継ぎ足し用仮設階段Ａ２を継ぎ足す。
【００２４】
さらに、立坑の地底部分を上記と同様に、継ぎ足し用仮設階段Ａ３の高さに見合った深さに掘削し、その後上記要領で継ぎ足し用仮設階段Ａ２の下に、図５（ｄ）に示すように、継ぎ足し用仮設階段Ａ３を継ぎ足す。併せて、立坑内の渡し梁に継ぎ足し用仮設階段Ａ３を固定する。このようにして、立坑内の地底部分と地上部分とを連絡する４段に組み上げた仮設階段を立坑内部に構築することができる。また、本実施の形態では４段構成の仮設階段を構築したが、上記要領で地底部分を掘削しては、継ぎ足し用仮設階段を継ぎ足すという作業を必要な回数繰り返せば、所望深度の立坑内に所望段数の仮設階段の構築ができる。
【００２５】
また、上記実施の形態では、先組み仮設階段Ａ１、継ぎ足し用仮設階段Ａ３を立坑内の切梁間に設けた連結用梁部材Ｄである渡し梁に取付金具Ｃ１を介して固定したが、図７（ａ）に示すように、切梁間に仮設階段の幅相当分の間をあけて平行に掛け渡した渡し梁間に仮設階段を固定するようにしても構わない。また、図７（ｂ）に示すように、切梁から直交方向に突き出した連結梁を連結用梁部材Ｄとして、この連結梁間に上記構成の仮設階段を固定するようにしても構わない。連結梁と仮設階段の支柱の固定には、例えば図６（ｂ）に示すように、連結梁の側面に予め仮設階段の幅に合わせて側面にパイプクランプを設けた取付金具Ｃ２を溶接しておき、このパイプクランプに仮設階段の支柱１０を保持固定させればよい。
【００２６】
さらに、図７（ｃ）に示すように、切梁間に連結用梁部材Ｄとして一本の渡し梁を渡しておき、この渡し梁と平行な切梁との間に上記構成の仮設階段を固定するようにしても構わない。上記実施の形態では、連結用梁部材Ｄの渡し梁に固定した仮設階段Ａ１の下方に、継ぎ足し用仮設階段Ａ２を組み上げながら継ぎ足したが、予め継ぎ足し用仮設階段Ａ２をユニット状に地底部分で組み上げておいて、先組み仮設階段Ａ１と継ぎ足し用仮設階段Ａ２との支柱１０同士を連結してもよい。継ぎ足し用仮設階段Ａ３についても同様である。また、組み上げながら継ぎ足し用仮設階段Ａ２を継ぎ足すにしても、四隅の支柱１０を一本ずつ組み上げるのではなく、組み付け作業が少しでも行い易いように、予め所定間隔に２本ずつ支柱を連結しておいても構わない。２本ずつ連結された支柱１０を左右に立て、その間を梁材で連結すれば容易に枠組みが組み上げられる。
【００２７】
また、上記実施の形態では、先組み仮設階段Ａ１を予め二段に構成したが、一段構成にしても構わない。基本的には、地上部分で組み上げ且つ揚重装置Ｂでの立坑内への吊り降ろしに支障がなければ、現場状況や施工規模に合わせた適数段に先組み仮設階段Ａ１を組み上げておけばよい。本実施の形態の図５（ｄ）では、最下段の継ぎ足し用仮設階段Ａ３は下側に細幅足場板３０ａを設けた場合を示したが、継ぎ足し用仮設階段Ａ３をそのまま地底部分に据えつける場合には、この細幅足場板３０ａを省き、階段６０の上端側を継ぎ足し用仮設階段Ａ２の足場板３０ａに掛け渡して、階段６０の下端側を地底部分の上に設置すればよい。また、本実施の形態では、実施の形態１の細幅足場板３０ａを使用した仮設階段を多段に構築する場合について示したが、実施の形態２に係る一枚構成の足場板３０を使用しても上記実施の形態と同様の方法で仮設階段を多段に構築できる。さらに、本実施の形態では、踊場用床部分４０及び階段６０の周囲には、実施の形態１と同様に手摺６４、７０を脱着自在に設けた。
【００２８】
また、本発明の構築方法を採用すれば、先組み仮設階段Ａ１を立坑内の地底部分に吊り降ろし固定した段階から、先組み仮設階段Ａ１の地上側に、例えば一段足場組を連続して組み上げ、この足場組の天井部分に養生シート等を掛けて屋根を設けることができる。このようにして、仮設階段の施工時期の早い段階から屋根を設けて、雨によるスリップ事故等を未然に防止することかできる。さらには、本発明の方法では、立坑の掘削深度に合わせて仮設階段を下に継ぎ足す構築方法であるため、掘削工程の途中でも仮設階段の下方は立坑の地底部分と連絡しているため、常に地上部分と立坑の地底部分との行き来を確保することができる。従来法では、立坑を所定深度まで掘削して、その後に地底部分から仮設階段を組み上げるまで仮設階段を使用することかできず、本発明の方法にはかかる不便がない。
【００２９】
（実施の形態５）
本実施の形態は、階段の上下端に踊場用床部分を水平に張り出した階段を使用して、実施の形態４と同様の方法によって掘削立坑内に多段の仮設階段を構築する方法である。本実施の形態で使用する階段１００は、図８（ａ）に示すように、その上端及び下端に踊場用床部分１１０を水平に張り出した階段である。踊場用床部分１１０の張り出し端側には、前記実施の形態４の細幅足場板３０ａに設けた係止部材１３と同様の係止部材１２０が設けられている。また、階段１００は上記実施の形態４の細幅足場板３０ａと同様の幅に形成されている。
【００３０】
本実施の形態では、図８（ａ）に示すように、四隅に立脚した支柱１０の上端及び下端を梁材２０で連結した二段に組み上げた先組み仮設階段Ａ１０の枠組みを形成する。斜め上下で対向する梁材２０の間に、上記構成の階段１００を上下でジクザグになるように掛け渡す。階段１００の掛け渡し方向は、実施の形態１で使用した細幅足場板３０ａを併用することにより、図８（ｂ）に示すように、掛け渡し方向を上下で同じ方向に揃えることもできる。この場合は、各段に細幅足場板３００を並べて掛け渡すようにすればよい。尚、図８（ａ）、（ｂ）では、階段１００の掛け渡し状況が見やすいように、手摺が省かれている。
【００３１】
一方、仮設階段を内部に構築しようとする立坑を、上記先組み仮設階段Ａ１０の高さに匹敵する程度の深さに別途掘削しておく。かかる立坑内に上記完成した先組み仮設階段Ａ１０を、図８（ｃ）に示すように、クレーン等の揚重装置Ｂで吊り下げて、立坑内の地底部分に降ろす。降ろした状態では、先組み仮設階段Ａ１０の上端側が、地上面と略同様の高さになるようになっている。先組み仮設階段Ａ１０の上端側は地上面付近にくればよく、地上面と多少高低差があっても構わない。さらに、先組み仮設階段Ａ１０の下の段の支柱１０を、実施の形態４と同様にして、取付金具Ｃ１で切梁間に設けた連結用梁部材Ｄに固定する。本実施の形態では、連結用梁部材Ｄとして、切梁間に掛け渡した渡し梁を使用する。また、取付金具Ｃ１は、上記実施の形態４と同様に構成されている。
【００３２】
その後、さらに地底部分を、実施の形態４の図５（ｂ）に合わせて説明したと同様の要領で、継ぎ足し用仮設階段Ａ２０の高さに見合った深さに掘削する。掘削した時点で、先組み仮設階段Ａ１０の支柱１０の下側に、支柱１０の上端を差し込み連結するとともに、この差し込んだ支柱１０の下端側を梁材２０で連結して継ぎ足し用仮設階段Ａ２０の枠組みを形成する。継ぎ足し用仮設階段Ａ２０の梁材２０と、これと斜め上下で対向する先組み仮設階段のＡ１０の下段の梁材２０との間に、既に掛け渡した階段１００と掛け渡し方向がジクザグになるように別途階段１００を掛け渡す。このようにして、立坑の地底部分で、先組み仮設階段Ａ１０の下方に継ぎ足し用仮設階段Ａ２０を継ぎ足す。
【００３３】
さらに、立坑の地底部分を上記と同様に、継ぎ足し用仮設階段Ａ３０の高さに見合った深さに掘削し、その後上記要領で継ぎ足し用仮設階段Ａ２０の下に、図８（ｄ）に示すように、継ぎ足し用仮設階段Ａ３０を継ぎ足す。併せて、立坑内の渡し梁に継ぎ足し用仮設階段Ａ３０を固定して、立坑内の地底部分と地上部分とを連絡する４段の仮設階段を立坑内部に構築する。本実施の形態では４段構成の仮設階段を構築したが、上記要領で地底部分を掘削しては、継ぎ足し用仮設階段を継ぎ足すという作業を必要な回数繰り返せば、実施の形態４と同様に、所望深度の立坑内に所望段数の仮設階段の構築ができる。
【００３４】
また、立坑内での仮設階段の固定には、実施の形態４の図７で示すと同様に、連結用梁部材Ｄとして、渡し梁、連結梁或は切梁を適宜現場状況に合わせて使用すればよい。さらに、先組み仮設階段Ａ１０も、本実施の形態では２段組としたが、一段でも、或は３段以上でも基本的には構わない。また、継ぎ足し用仮設階段を予め組み立てておいて既に組み上げた仮設階段の下方に継ぎ足したり、或は四隅の支柱を予め２本ずつ所定間隔に組み上げておいたり、或は手摺を取り付けたり、さらには仮設階段の地上側に屋根を仮設したり等の点は、本実施の形態５でも実施の形態４と同様に行える。
【００３５】
（実施の形態６）
本実施の形態は、階段の上下端のいずれか一方に踊場用床部分を水平に張り出した階段を使用して、実施の形態５と同様の方法によって掘削立坑内に多段の仮設階段を構築する方法である。本実施の形態で使用する階段２００は、図９（ａ）に示すように、その下端に踊場用床部分２１０を水平に張り出した階段である。階段２００の下端から水平に張り出した踊場用床部分２１０端には、実施の形態５と同様の係止部材２２０を設けて係止できるようになっている。さらに、階段２００の幅は、後記する細幅足場板３００ａより少し幅が狭く設定されている。尚、図９（ａ）、（ｂ）では、図が見やすいように手摺が取り付けられていない状況を示している。本実施の形態でも、上記実施の形態５と同様に四隅に立脚した支柱１０の上端及び下端を梁材２０で連結した二段構成の先組み仮設階段Ａ１００の枠組みを形成する。
【００３６】
この枠組みの各段の対向する梁材２０間に、第一の細幅足場板３００と、踊場用床部分４００と吹き抜け部分５００とを隣り合わせに有する第二の細幅足場板３００ａとを並べて掛け渡す。第二の細幅足場板３００ａは、前記実施の形態の細幅足場板３０ａと同様に形成する。さらに、各段の第二の細幅足場板３００ａの踊場用床部分４００端と、これと斜め上下に対向する下の段の梁材２０との間に、階段２００を掛け渡す。掛け渡しに際しては、階段２００の上端側の係止部材２２０を第二の細幅足場板３００ａの踊場用床部分４００の端部に係止し、階段２００下端の踊場用床部分２１０の係止部材２２０を梁材２０に係止する。このようにして、先組み仮設階段Ａ１００を組み上げる。
【００３７】
その後は、実施の形態５と同様に所定深さに掘削した立坑内に先組み仮設階段Ａ１００を入れて、図９（ｃ）に示すように、立坑内の連結用梁部材Ｄである渡し梁等に固定する。固定後、さらに、継ぎ足し用仮設階段Ａ２００の高さ相当分程度立坑の地底部分を掘削し、支柱１０を前記先組み仮設階段Ａ１００の下方に取り付け、さらにこの支柱１０の下端側を梁材で連結して継ぎ足し段を形成する。継ぎ足し段の梁材２０と、先組み仮設階段Ａ１００の下段の第二の細幅足場板３００ａの踊場用床部分４００端との間に、図９（ｄ）に示すように、上記要領で階段２００を掛け渡す。このようにして、先組み仮設階段Ａ１００の下方に、継ぎ足し用仮設階段Ａ２００を継ぎ足す。かかる継ぎ足し作業を繰り返しながら、継ぎ足し用仮設階段Ａ３００を継ぎ足して、４段構成の仮設階段を構築する。また、踊場用床部分２１０を階段の上端側に水平に張り出した階段を使用する場合にも、本実施の形態と同様に行えばよい。
【図面の簡単な説明】
【００３８】
【図１】実施の形態１に係る仮設階段の正面図（ａ）及び側面図（ｂ）。
【図２】実施の形態１に係る細幅足場板の梁材への掛け渡し状況を示した平面図（ａ）及び階段（ｂ）。
【図３】実施の形態２に係る足場板の平面図。
【図４】実施の形態３の階段の仮設状況を示す正面図（ａ）、（ｂ）、（ｃ）、（ｄ）。
【図５】実施の形態４に係る構築方法の工程手順を示す断面図（ａ）、（ｂ）、（ｃ）、（ｄ）。
【図６】取付金具による連結用梁部材への固定状況を示す斜視図（ａ）、（ｂ）。
【図７】仮設階段の連結用梁部材への固定状況を示す平面図（ａ）、（ｂ）、（ｃ）。
【図８】実施の形態５に係る先組み仮設階段の階段の掛け渡し状況を示す斜視図（ａ）、（ｂ）、及び仮設階段の構築手順を示す断面図（ｃ）、（ｄ）。
【図９】実施の形態６に係る階段の斜視図（ａ）、階段の掛け渡し状況を示す斜視図（ｂ）、及び仮設階段の構築手順を示す断面図（ｃ）、（ｄ）。
【図１０】従来例を示す図。
【符号の説明】
【００３９】
１０ 支柱
２０ 梁材
３０ 足場板
３０ａ 細幅足場板
４０ 踊場用床部分
５０ 吹き抜け部分
６０ 階段
７０ 手摺
１００ 階段
１１０ 踊場用床部分
２００ 階段
２１０ 踊場用床部分
Ａ 仮設階段
Ａ１ 先組み仮設階段
Ａ２ 継ぎ足し用仮設階段
Ａ３ 継ぎ足し用仮設階段
Ｂ 揚重装置
Ｄ 連結用梁部材
【図１】
2004316427.tif 000003
【図２】
2004316427.tif 000004
【図３】
2004316427.tif 000005
【図４】
2004316427.tif 000006
【図５】
2004316427.tif 000007
【図６】
2004316427.tif 000008
【図７】
2004316427.tif 000009
【図８】
2004316427.tif 000010
【図９】
2004316427.tif 000011
【図１０】
2004316427.tif 000012